(57)【要約】  水素混合ガス生成装置１０は、所定温度に設定された温水２００を収容する温水収容部１１０と、所定の手段により生成された水素ガスを温水収容部１１０の温水中に導く給気路１２０と、給気路１２０により温水２００中に排出された水素ガスを、温水収容部１１０から外部へ導出する排気路１３０と、を備える。また、水素混合ガス生成装置１０は、水の電気分解処理、水蒸気の過熱処理、または化学処理のいずれかの処理を実行して水素ガスを生成する水素生成部１２をさらに備える。また、温水は、５０〜９０℃に維持される。
2020157936.tif 000002
【特許請求の範囲】
【請求項１】
所定温度に設定された温水を収容する温水収容部と、
所定の手段により生成された水素ガスを前記温水収容部の前記温水中に導く給気路と、
前記給気路により前記温水中に排出された前記水素ガスを、前記温水収容部から外部へ導出する排気路と、
を備えることを特徴とする水素混合ガス生成装置。
【請求項２】
水の電気分解処理、水蒸気の過熱処理、または化学処理のいずれかの処理を実行して水素ガスを生成する水素生成部をさらに備える
ことを特徴とする請求項１に記載の水素混合ガス生成装置。
【請求項３】
前記温水は、５０〜９０℃に維持される
ことを特徴とする請求項１または２に記載の水素混合ガス生成装置。
【請求項４】
前記温水収容部において温水中をくぐって生成された、水分を含む水素混合ガスを排気する排気部をさらに備える
ことを特徴とする請求項１から３のいずれか一項に記載の水素混合ガス生成装置。
【請求項５】
所定の方法により水素ガスを生成する水素ガス生成工程と、
前記水素ガス生成工程により生成した水素ガスを、温水中にくぐらせてバブリングするバブリング工程と、
を含むことを特徴とする水素混合ガスの生成方法。
【請求項６】
前記温水は、５０〜９０℃に維持される
ことを特徴とする請求項５に記載の水素混合ガスの生成方法。
【請求項７】
前記バブリング工程において温水中をくぐって生成された、水分を含む水素混合ガスを排気する排気工程をさらに含む
ことを特徴とする請求項５または６に記載の水素混合ガスの生成方法。
【発明の詳細な説明】
【技術分野】
【０００１】
開示の実施形態は、水素混合ガス生成装置および水素混合ガスの生成方法に関する。
【背景技術】
【０００２】
従来、水素を人体内に取り込むことは、病変や機能障害を引き起こす原因となるとされる活性酸素種を除去するのに有効であることが知られていた。そこで、飽和蒸気から水素ガスを発生させ、この水素ガスを人体内に取り込むことを可能にする水素混合ガス生成装置が提案された（例えば、特許文献１を参照）。
【先行技術文献】
【特許文献】
【０００３】
【特許文献１】特開２０１３−１５１４００号公報
【発明の概要】
【発明が解決しようとする課題】
【０００４】
しかしながら、従来の水素混合ガス生成装置で得られた水素ガスでは、効果的に健康増進を図ることのできる裏付けがとれるまでには至っていない。【０００５】
実施形態の一態様は、上記に鑑みてなされたものであって、健康増進により高い効果を発揮することのできる水素混合ガス生成装置および水素混合ガスの生成方法を提供することを目的とする。
【課題を解決するための手段】
【０００６】
（１）実施形態の一態様に係る水素混合ガス生成装置は、所定温度に設定された温水を収容する温水収容部と、所定の手段により生成された水素ガスを前記温水収容部の前記温水中に導く給気路と、前記給気路により前記温水中に排出された前記水素ガスを、前記温水収容部から外部へ導出する排気路と、を備えることを特徴とする。【０００７】
（２）また、実施形態の一態様に係る水素混合ガス生成装置は、上記（１）において、水の電気分解処理、水蒸気の過熱処理、または化学処理のいずれかの処理を実行して水素ガスを生成する水素生成部をさらに備えることを特徴とする。【０００８】
（３）また、実施形態の一態様に係る水素混合ガス生成装置は、上記（１）または（２）において、前記温水は、５０〜９０℃に維持されることを特徴とする。【０００９】
（４）また、実施形態の一態様に係る水素混合ガス生成装置は、上記（１）から（３）のいずれか一つにおいて、前記温水収容部において温水中をくぐって生成された、水分を含む水素混合ガスを排気する排気部をさらに備えることを特徴とする。【００１０】
（５）また、実施形態の一態様に係る水素混合ガスの生成方法は、所定の方法により水素ガスを生成する水素ガス生成工程と、前記水素ガス生成工程により生成した水素ガスを、温水中にくぐらせてバブリングするバブリング工程と、を含むことを特徴とする。【００１１】
（６）また、実施形態の一態様に係る水素混合ガスの生成方法は、上記（５）において、前記温水は、５０〜９０℃に維持されることを特徴とする。【００１２】
（７）また、実施形態の一態様に係る水素混合ガスの生成方法は、上記（５）または（６）において、前記バブリング工程において温水中をくぐって生成された、水分を含む水素混合ガスを排気する排気工程をさらに含むことを特徴とする。
【発明の効果】
【００１３】
実施形態の一態様によれば、健康増進を図ることのできる水素混合ガスを、より効果的に生成することができる。
【図面の簡単な説明】
【００１４】
【図１】図１は、実施形態に係る水素混合ガス生成装置の使用状態を示す説明図である。
【図２】図２は、実施形態に係る水素混合ガス生成装置におけるバブリング部の模式的説明図である。
【発明を実施するための形態】
【００１５】
以下、添付図面を参照して、本願の開示する水素混合ガス生成装置および水素混合ガスの生成方法の実施形態について説明する。なお、以下に示す実施形態によりこの発明が限定されるものではない。
【００１６】
先ず、図１および図２を参照しながら、本実施形態に係る水素混合ガスを生成するための水素混合ガス生成装置１０の構成の概要、およびこの水素混合ガス生成装置１０を用いて実施される水素混合ガスの生成方法について説明する。図１は、実施形態に係る水素混合ガス生成装置１０の使用状態を示す説明図、図２は、実施形態に係る水素混合ガス生成装置１０におけるバブリング部の模式的説明図である。
【００１７】
水素混合ガス生成装置１０は、蒸気（Ｈ２Ｏ）と水素ガス（Ｈ２）とが含まれる水素混合ガスを生成可能としたものである。また、本実施形態に係る水素混合ガス生成装置１０は、生成した水素混合ガスを、さらに人体内に取り込み可能としている。
【００１８】
図１に示すように、使用者１００は、水素混合ガス生成装置１０が備えるガス吸入管３０の先端を鼻に装着して、生成された水素混合ガスを鼻腔から摂取する。ガス吸入管３０は、後述する排気部として機能する。
【００１９】
なお、図１に示した例では、水素混合ガスを摂取する使用者１００を一人としたが、複数本のガス吸入管３０を利用可能にしたり、ガス吸入管３０を複数に分岐させたりすることで、２人以上での使用も可能である。なお、ガス吸入管３０としては、例えば、カニューレなどを好適に用いることができる。
【００２０】
水素混合ガス生成装置１０のケーシングの内部には、少なくともバブリング部２０を備える水素混合ガス生成ユニット１１が収納される。図２に示すように、本実施形態における水素混合ガス生成ユニット１１は、水素生成部１２と、水素生成部１２により生成した水素ガスを温水２００中にくぐらせてバブリングするバブリング部２０とを備える。
【００２１】
バブリング部２０は、所定温度に設定された温水２００を収容する温水収容部１１０と、水素生成部１２により生成された水素ガスを温水収容部１１０の温水２００内に導く給気路１２０と、この給気路１２０により水中に排出された水素ガスを、温水収容部１１０から外部へ導出する排気路１３０とを備える。給気路１２０および排気路１３０は、ゴムなどの樹脂や金属により形成された管状の部材を用いることができる。
【００２２】
温水収容部１１０は、たとえば密封されたカップ状の容器であればよく、図２に示すように、天井壁２１０に給気路１２０および排気路１３０の一端が挿通されている。そして、給気路１２０の一端である先端部は、温水２００中に没しており、排気路１３０の一端である始端部は、温水面と天井壁２１０との間の空間部２２０に位置している。
【００２３】
他方、排気路１３０の他端となる終端部は、排気部となるガス吸入管３０（図１）に接続される。ここでは、ガス吸入管３０を排気部としているが、排気路１３０を含めて排気部としてもよい。また、たとえば、バブリング部２０において発生する水分を含む水素混合ガスを強制的に外方へ送気するファン装置やブロア装置などを設け、これらを含めて排気部を構成することもできる。また、ファン装置やブロア装置などを、さらに水素生成部１２とバブリング部２０との間に介設して、水素生成部１２で生成した水素ガスを強制的にバブリング部２０の温水収容部１１０内に送ることもできる。
【００２４】
かかる水素混合ガス生成装置１０によれば、所定の方法により水素ガスを生成する水素ガス生成工程と、この水素ガス生成工程により生成した水素ガスを、温水２００中にくぐらせてバブリングするバブリング工程とを経ることにより、健康増進により高い効果を発揮することのできる水素混合ガスを得ることができる。
【００２５】
また、使用者１００が安全かつ心地よく水素混合ガスを吸引できるように、温水収容部１１０に収容される温水２００は、たとえば５０〜９０℃に設定するものとし、より好ましくは、５５〜７５℃に維持するようにしている。また、温水２００の温度をかかる範囲とすれば、たとえば常温においてでも気化によって必要な水分量を有する水素混合ガスを得ることができる。
【００２６】
なお、温水２００の温度を所望する値に維持するためには、温水収容部１１０としては、図示しない加熱機能と保温機能とを備える構成とすることが好ましい。
【００２７】
また、本実施形態では、上述の水素混合ガスを、排気部となるガス吸入管３０を用いて人体に取り込むようにしている。すなわち、本実施形態における水素混合ガスの生成方法においては、バブリング工程において温水２００中をくぐって生成された、水分を含む水素混合ガスを排気する排気工程が含まれる。
【００２８】
そのために、本実施形態に係る水素混合ガス生成装置１０は、上述してきたように、水素生成部１２およびバブリング部２０に加えて、温水収容部１１０において温水２００中をくぐって生成された、水分を含む水素混合ガスを排気する排気部をさらに備える構成となっている。
【００２９】
ところで、水素混合ガス生成ユニット１１が備える水素生成部１２としては、水素を生成する機能を備えていれば如何なる構成の装置やシステムであっても構わない。たとえば、図２に示すように、水の電気分解処理、水蒸気の過熱処理、あるいは化学処理などを実施可能な装置やシステムを採用することができる。
【００３０】
上述してきた水素混合ガス生成装置１０によって得た水素混合ガスを摂取すると、健康改善に関して大きく寄与することができる。たとえば、悪性腫瘍やアレルギー、あるいはその他の疾患を抱える被験者に対し、本実施形態に係る水素混合ガス生成装置１０、あるいは水素混合ガスの生成方法にて得た水素混合ガスを摂取させたところ、多くの場合で症状の改善効果が見られた。
【００３１】
なお、上述してきた実施形態では、水素混合ガス生成装置１０は、水素生成部１２および排気部を備える構成としたが、水素混合ガス生成装置１０は、少なくとも水素ガスを温水２００中にくぐらせてバブリングするバブリング部２０を備える構成であればよい。
【００３２】
すなわち、水素生成部１２や排気部は、水素混合ガス生成装置１０と別体で構成したものであってもよい。
【００３３】
上述してきた実施形態より、以下の水素混合ガス生成装置１０および水素混合ガスの生成方法が実現する。
【００３４】
（１）所定温度に設定された温水２００を収容する温水収容部１１０と、所定の手段により生成された水素ガスを温水収容部１１０の温水２００中に導く給気路１２０と、給気路１２０により温水２００中に排出された水素ガスを、温水収容部１１０から外部へ導出する排気路１３０とを備える水素混合ガス生成装置１０。
【００３５】
かかる構成によれば、人体の健康維持に極めて良いとされる水素混合ガスを効率よく得ることができる。
【００３６】
（２）上記（１）において、水の電気分解処理、水蒸気の過熱処理、または化学処理のいずれかの処理を実行して水素ガスを生成する水素生成部１２をさらに備える水素混合ガス生成装置１０。
【００３７】
かかる構成によれば、水素ガスの生成についても同一の装置により一貫して行うことができる。
【００３８】
（３）上記（１）または（２）において、温水２００は、５０〜９０℃に維持される水素混合ガス生成装置１０。
【００３９】
かかる構成によれば、使用者１００が吸引しやすく、かつ必要な水分量の蒸気が含まれる水素混合ガスを得ることができる。
【００４０】
（４）上記（１）から（３）のいずれか一つにおいて、温水収容部１１０において温水２００中をくぐって生成された、水分を含む水素混合ガスを排気する排気部をさらに備える水素混合ガス生成装置１０。
【００４１】
かかる構成によれば、水素ガスの生成から、蒸気を含む水素混合ガスを使用者１００に吸引させるまでの機能を同一の装置により一貫して行うことができ、装置としての価値や利便性を向上させることができる。
【００４２】
（５）所定の方法により水素ガスを生成する水素ガス生成工程と、水素ガス生成工程により生成した水素ガスを、温水２００中にくぐらせてバブリングするバブリング工程と、を含む水素混合ガスの生成方法。
【００４３】
かかる構成によれば、人体の健康維持に極めて良いとされる水素混合ガスを効率よく得ることができる。
【００４４】
（６）上記（５）において、温水２００は、５０〜９０℃に維持される水素混合ガスの生成方法。
【００４５】
かかる方法によれば、使用者１００が吸引しやすく、かつ必要な水分量の蒸気が含まれる水素混合ガスを得ることができる。
【００４６】
（７）上記（５）または（６）において、バブリング工程において温水２００中をくぐって生成された、水分を含む水素混合ガスを排気する排気工程をさらに備える水素混合ガスの生成方法。
【００４７】
かかる方法によれば、水素ガスの生成から、蒸気を含む水素混合ガスを使用者１００に吸引させるまでを一貫して行うことができる。
【００４８】
上述した実施形態における変形例やさらなる効果は、当業者によって容易に導き出すことができる。このため、本発明のより広範な態様は、以上のように表しかつ記述した特定の詳細および代表的な実施形態に限定されるものではない。したがって、添付の請求の範囲およびその均等物によって定義される総括的な発明の概念の精神または範囲から逸脱することなく、様々な変更が可能である。
【符号の説明】
【００４９】
１０    水素混合ガス生成装置
１１    水素混合ガス生成ユニット
１２    水素生成部
２０    バブリング部
３０    ガス吸入管
１１０  温水収容部
１２０  給気路
１３０  排気路
２００  温水
２１０  天井壁
２２０  空間部
【図１】
2020157936.tif 000003
【図２】
2020157936.tif 000004
【国際調査報告】
2020157936.tif 000005
2020157936.tif 000006